(57)【要約】【課題】  ペーパーホルダーを使用するとき、容易にペーパーの先端をつまめて、そして簡単にペーパーを切ることが出来て、ペーパーを切れば、ペーパーのつまみ分も出来て、つまみ易い位置に出ているようにすること。【解決手段】  ペーパーホルダーに、ペーパーを乗せる紙乗せ板を設け、そのペーパーを押えるために、スプリングで押えた紙戻り防止板を取り付ける。支点を設けた紙切り刃を取り付けて、刃先が円弧運動を出来るようにして、スプリングで奥側へ引いておく。紙切り刃の刃はペーパーが出る側に倒した角度にする。紙切り刃が円弧運動する範囲を囲うために、仕切り板を設けたり、すき間を少なくする。紙戻り防止板の押えは、円弧運動棒とクランク棒や、引き棒を設ける方法がよい。そうすれば、ペーパーのつまみ分が出来て、切れたペーパーは刃先から離れ易く、ペーパーを軽く引き出せるし、押えも十分出来る。【選択図】  図１
2005192682.tif 000002
【特許請求の範囲】
【請求項１】
ペーパーホルダー（１）の紙切り刃（６）は、円弧運動が出来るように設けて、ペーパーを切る時に、紙切り刃（６）が引き出すペーパーに引っ掛かって円弧運動をして、ペーパーと一緒に出てきて、ペーパーを切る位置でペーパーを切ったら紙切り刃（６）は元の位置に戻り、紙切り刃（６）の円弧運動した長さがペーパーの先端（３）のつまみ分として、出ている構造のペーパーホルダー。
【請求項２】
ペーパーホルダー（１）の紙切り刃（６）が、円弧運動する範囲を囲って密閉性を上げるために、仕切り板（９）を設けたり、すき間を少なくした構造のもの。それによってペーパーを切った後に紙切り刃（６）が元の位置に戻る時、紙切り刃（６）が円弧運動した範囲とペーパーに囲まれた空間の空気で、切れたペーパーの先端を押し下げる作用をさせるようにした請求項１記載のペーパーホルダー。
【請求項３】
紙戻り防止板（４）と紙乗せ板（５）を設けて、紙戻り防止板（４）と紙乗せ板（５）の間にペーパーをはさみ、押しスプリング（１７）等で紙戻り防止板（４）を押してペーパーが押えられている構造にした請求項１記載のペーパーホルダー。
【請求項４】
円弧運動棒（７Ａ）とクランク棒（７Ｂ）を設けた構造にして、ペーパーを押える力を弱い力から強い力まで変えることが出来る構造にした請求項３記載のペーパーホルダー。
【請求項５】
円弧運動棒（７Ａ）とクランク棒（７Ｂ）と引き棒（８）を設けた構造にして、ペーパーを押える力を弱い力から強い力まで変えることが出来て、紙切り刃（６）がペーパーを切る位置になると、ペーパーに引っ掛かった紙切り刃（６）を引く力が、紙戻り防止板（４）を押える力になり、ペーパーの動きを止められるようにした請求項３記載のペーパーホルダー。
【請求項６】
請求項２と請求項５を合わせた構造にしたペーパーホルダー。
【請求項７】
紙切り刃（６）に紙戻り防止板（４）を押えるための、押え部（６Ｃ）を設けた構造にして、紙切り刃（６）がペーパーを切る位置になると、ペーパーに引っ掛かった紙切り刃（６）を引く力が、紙戻り防止板（４）を押える力になり、ペーパーの動きを止められるようにした請求項３記載のペーパーホルダー。
【請求項８】
請求項２と請求項４と請求項７を合わせた構造にしたペーパーホルダー。
【請求項９】
紙切り刃（６）に紙戻り防止板（４）を押えるための、クサビ板（２２）を設けた構造にして、紙切り刃（６）がペーパーを切る位置になると、ペーパーに引っ掛かった紙切り刃（６）を引く力が、紙戻り防止板（４）を押える力になり、ペーパーの動きを止められるようにした請求項３記載のペーパーホルダー。
【請求項１０】
請求項２と請求項４と請求項９を合わせた構造にしたペーパーホルダー。
【請求項１１】
紙落とし板（１０）と紙切り刃（６）を設けた構造にして、紙切り刃（６）でペーパーを切った後に、紙落とし板（１０）が切れたペーパーの先端を下側に押し下げて、ペーパーの先端（３）が常に、つまめる状態になるようにしたペーパーホルダー。
【請求項１２】
紙戻り防止板（４）と紙乗せ板（５）を設けて、紙戻り防止板（４）と紙乗せ板（５）の間にペーパーをはさみ、押しスプリング（１７）等で紙戻り防止板（４）を押してペーパーが押えられている構造にした請求項１１記載のペーパーホルダー。
【請求項１３】
ロールペーパー保持枠（１３）を設けて、ロールペーパー保持枠（１３）に紙乗せ板（５）とロールペーパー保持棒（１５）を取り付けた構造にする。ペーパーホルダー本体（１）に支点（１３Ａ）を設けて、その支点でロールペーパー保持枠（１３）が前方下側に円弧運動をして下がるようにして、その位置でペーパー交換を行なえるようにしたペーパーホルダー。
【請求項１４】
上ケース（１９）と移動駒（２０）を設けた構造にして、ペーパー交換の時に上ケース（１９）を上側に起こすと、移動駒（２０）がスライドして紙戻り防止板（４）を押して、紙切り刃（６）の刃先が隠れるようにしたペーパーホルダー。
【請求項１５】
紙切り刃（６）の刃先は、紙切り刃の支点（６Ａ）と刃先を結んだ線より、ペーパーが出てくる側に倒した角度にして設けた請求項１記載のペーパーホルダー。
【請求項１６】
請求項２と請求項４と請求項１５を合わせた構造にしたペーパーホルダー。
【発明の詳細な説明】
【技術分野】
【０００１】  本発明は、ペーパーホルダーを使うとき、ペーパーがつまみ易く、そしてペーパーを切る時も、簡単に切れるようにしたペーパーホルダーに関する。
【背景技術】
【０００２】  従来のペーパーホルダーでも、簡単にペーパーが切れるタイプがいろいろありますが、ペーパーの先端を出しずらかったり、ペーパーをつまみずらかったり、ペーパーを引き出しずらかったりして、一長一短の物もあってなかなか満足しえませんでした。
【発明の開示】
【発明が解決しようとする課題】
【０００３】  ペーパーホルダーを使用するときに、ペーパーの先端を容易につまめて、簡単に切ることが出来て、ペーパーを切った後は、ペーパーのつまみ分がつまみ易い位置に出ている状態になって、操作は何にも必要ないようにすることが課題である。
【課題を解決するための手段】
【０００４】  本発明は、ペーパーホルダーに紙切り刃と紙乗せ板と紙戻り防止板を設ける。ペーパーをつまむ分の長さを引き出すために、紙切り刃は支点を設けて円弧運動が出来るようにする。ペーパーを引き出す時に、適当な抵抗があるように、紙乗せ板の上に乗せた紙戻り防止板は奥側を支点にして、前側は上下に動くようにし、上から押しスプリング等で押さえることで、紙乗せ板と紙戻り防止板の間に挟まれたペーパーを押える。ペーパーで紙切り刃の刃先を引っ掛けるために、刃先の位置は紙戻り防止板の先端部の近くで、先端部の底辺より少し下側に出した位置にして、紙切り刃をスプリングの弱めの力で奥側に引いた状態にする。紙切り刃は紙戻り防止板や仕切り板等に貼りつけたクッション材に当たった位置で止まっている。【０００５】  また、切ったペーパーの先端を空気圧で下側に落とすために、紙切り刃が円弧運動する範囲を囲うように、仕切り板を設けたり、すき間を少なくして密閉性を良くする構造にする。【０００６】  紙切り刃の刃先の角度を、紙切り刃の支点と刃先を結んだ線よりペーパーの出てくる側に倒しておくことで、切れたペーパーの先端が紙切り刃から、一層離れ易くなる。【０００７】  上記のように紙切り刃をスプリングで引いて、紙戻り防止板を押しスプリングで押える形が基本であるが、出来るだけ使用しやすくするために、円弧運動棒とクランク棒を設けた構造にすることで対応出来る。それは円弧運動棒とクランク棒を連結させて、円弧運動棒の他方はペーパーホルダー本体に支点を設けて取り付け、クランク棒の他方は紙戻り防止板に支点を設けて連結させる。そして円弧運動棒とクランク棒を連結している位置か、またはクランク作用をさせるに良い位置にスプリング掛を設け、それと紙切り刃のスプリング掛にスプリングを渡して掛ける。スプリングは通常は弱く、伸びるにつれて強さを増すようになるものが良い。【０００８】  そうすることでペーパーを必要量引き出す時は、弱い抵抗で楽に引き出せ、ペーパーを切る時は、ペーパーを斜め上方に引くと、ペーパーに紙切り刃の刃先が引っ掛かり、一緒に紙切り刃も出てくる。このときは、ペーパーの張りも弱いけれど、紙切り刃を引いているスプリングも弱い力で引いているので、紙切り刃の刃先にペーパーのわずかの引っ掛かりでも、紙切り刃を引き出せる。紙切り刃が引き出されると同時にスプリングも引くので、その力がクランク棒に伝わり紙戻り防止板を押し下げてペーパーを強く押えるようになり、引き出すペーパーもピーンと強く張り、しっかりと紙切り刃を引っ掛けてペーパーを切る位置まで引き出せる。【０００９】  紙切り刃がペーパーを切る位置になったとき、引き出しているペーパーをしっかり押えて動きを止めるために、引き棒を設けた構造にして、引き棒の一方を円弧運動棒とクランク棒の連結部か、またはクランク作用を良くする位置に連結させる。他方は長穴を設け、その長穴に紙切り刃の突起部を差し込んだ構造にする。【００１０】  ペーパー交換は、交換したペーパーの先端を取り出して、紙乗せ板と紙戻り防止板の間に挟むことが必要で、方法は紙戻り防止板を上に起してペーパーを挟むか、紙乗せ板を下に下げたり、前に出したりしてペーパー交換をすることになる���【００１１】  ペーパー交換の方法は、ロールペーパー保持枠を設けた構造にして、ロールペーパー保持枠に紙乗せ板とロールペーパー保持棒を取り付ける。ロールペーパー保持枠はフックで固定されていて、フックを外すとペーパーホルダー本体に設けた支点で、前側下方に円弧運動をして、紙乗せ板とロールペーパー保持棒が下がる。下がるとロールペーパー保持棒の上側に、余裕の空間が出来るのでトイレットペーパーを下側から上方に上げてセットをする。そしてペーパーの先端を取り出して、ロールペーパー保持枠を上方に押し上げてフックが掛かれば終了する。【００１２】  上記の手段でも本発明の目的は達成することが出来ますが、別の手段でも同様の効果が得られるので、その方法を下記に説明すると、【００１３】  紙切り刃がペーパーを切る位置になったとき、ペーパーの動きを止めるために、紙切り刃に押え部を設けて、紙切り刃がペーパーを切る位置で、紙切り刃の押え部が紙戻り防止板を押える構造にする。【００１４】  また別の手段で、紙切り刃にクサビ板を設けた構造にして、紙切り刃がペーパーを切る位置で、クサビ板はペーパーホルダー本体の部分と紙戻り防止板の間に入って、紙戻り防止板を押えるようにする。【００１５】  切ったペーパーの先端を紙切り刃から離して下側に押し下げるために、紙落とし板と紙切り刃と紙乗せ板と紙戻り防止板を設けた構造にする。紙落とし板は奥側を支点にして、前方は上下に動くようにして、位置は紙乗せ板と紙戻り防止板のペーパーの出口のすぐ上にする。紙落とし板と紙切り刃を押し棒で連結させる。スプリングか、自重で紙落とし板は自由に上下に動くようにする。ペーパーを斜め上方に引くと、紙落とし板もペーパーで上方に押し上げられる。紙切り刃は紙落とし板と連動して最初は動き出てくるが、途中からペーパーに引っ掛かけられてペーパーの切る位置まで出て、ペーパーを切る。紙切り刃が元の位置に戻るとき、紙落とし板も連動して下方に下がるので、切れたペーパーの先端も押し下げられる。【００１６】  前述の内容とほぼ同様の構造で、紙切り刃はペーパーを切る位置で固定させ、紙落とし板は単独で動くようにする。ペーパーを切るときは、ペーパーを斜め上方に引くと、紙落とし板がペーパーで押し上げられる。ペーパーを切った後は、紙落とし板が下がればペーパーの先端も紙切り刃から離れて、紙乗せ板に乗ってつまめる状態になる。【００１７】  それから、紙落とし板にクサビ板を取り付けて連動させ、紙落とし板が上げられたらクサビ板が作用して紙戻り防止板を押えて、ペーパーを切るときにペーパーの動きを止めることも出来る。【００１８】  ペーパー交換も別の手段の場合は、上ケースを設けて、上ケースの奥側の支点をペーパーホルダー本体に取り付け前側を起せるようにする。紙乗せ板も同様に起せるようにする。上ケースには、紙切り刃と紙戻り防止板と移動駒を取り付けた構造にする。紙切り刃は上ケースの横板に支点を設けて取り付ける。紙戻り防止板も同様に取り付け、また紙戻り防止板に突起部を設けて、その突起部も横板に穴を設けて差し込み、その穴は紙戻り防止板が上下に必要量動く大きさの穴にする。また上ケースを起した状態のときに、紙切り刃に身体が触れると危険なので安全のために、紙戻り防止板の突起部が入っている穴に、移動駒がスライドして入ったり出たり出来るようにスライド穴も付け足す。移動駒の支点はペーパーホルダー本体に取り付ける。【００１９】  そうすればペーパー交換は、上ケースを起すと移動駒が上ケースと別の支点で動くために、移動駒がスライドして紙戻り防止板の突起部の穴に入り、移動駒が突起部を押して紙戻り防止板も一緒に動いて、紙戻り防止板が紙切り刃の刃先より出るので、紙切り刃の刃先が隠れた状態になり、刃先に触れる危険が無くなる。紙乗せ板も起してトイレットペーパーをセットしたら、紙乗せ板を倒して、その上からペーパーの先端を取り出して上ケースを倒し、フックが掛かったら終了する。
【発明の効果】
【００２０】  本発明のペーパーホルダーは、ペーパーを引き出す時は、ペーパーの出口より斜め下方に引き出し、ペーパーを切る時は、ペーパーの引き出す向きを斜め上方に変えると、ペーパーに紙切り刃の刃先が引っ掛かり、紙切り刃は円弧運動をしてペーパーと一緒に出てきてペーパーを切る位置まで出た後は、さらにペーパーを引くとペーパーが切れる。その後は紙切り刃が元の位置に戻り、紙切り刃が円弧運動した長さのペーパーが、紙乗せ板からつまみ分として空間に浮いた状態で出ているので、次にペーパーをつまむのも容易につまめる。【００２１】  以上のように本発明のペーパーホルダーはペーパーを容易につまめて、ペーパーを切る時も、引き出す向きを変えるだけで簡単に切れ、ペーパーを切った後は、ペーパーホルダーの機能が作用して、ペーパーの先端のつまみ分を、つまみ易い位置に、自動的につまみ易いように出すことが出来る。そうなれば、使用するときはペーパーの先端をつまんだら、ペーパーを斜め下方や上方に引くだけなので、ペーパーホルダーに触れるような操作も必要無くなる。また、使用する人は自分の必要なペーパーのみを触るだけで済むので、ペーパーホルダーは不潔になることもなくなり、次に使用する人も安心して使用出来る。もし手を汚してしまった場合でも、ペーパーホルダーや次に使う人のペーパーを汚すことなく使用することが出来る。【００２２】  しかし、紙切り刃がペーパーを切った後に元の位置に戻るとき、やわらかいペーパーが紙切り刃に付いたまま戻ると、ペーパーは紙切り刃と紙乗せ板の間につぶされて、挟まってしまい、ペーパーをつまめなくなり使用出来なくなる。紙切り刃でペーパーを切った後に、紙切り刃が元の位置に戻るとき、切れたペーパーの先端は必ず下側に落ちて、ペーパーをつまめる状態になるようにしなければならない。【００２３】  そこで、紙切り刃の円弧運動をする範囲を囲うために、仕切り板を設けたり、すき間を少なくした構造にすると、紙切り刃がペーパーに引っ掛かってペーパーを切る位置になったとき、紙切り刃が円弧運動した範囲は、仕切り板と紙切り刃とピーンと張ったペーパーに囲まれた空間になり、その空間に空気もすき間から入り込んでいる状態になる。そしてペーパーを切った後は紙切り刃が一気に元の位置に戻るので、仕切り板と紙切り刃とペーパーに囲まれた空間の空気は一気に出るすき間がないので、空気の動きはやわらかいペーパーを押し下げる力に変わって、紙切り刃と切れたペーパーの先端を離す作用が生まれるので、ペーパーの先端をつまめる状態にすることが出来る。【００２４】  そのうえに、紙切り刃の刃の角度を、紙切り刃の支点の芯と刃先を結んだ線よりペーパーが出てくる側に刃を倒した角度にすることで、ペーパーを切った後に紙切り刃が元の位置に戻るとき、ペーパーと紙切り刃の角度が９０度より小さくなり、戻る刃の力がペーパーに掛かりにくくなり、またペーパーは刃から滑り易くなるので、ペーパーは刃から離れ易くなる。【００２５】  紙切り刃はピーンと張ったペーパーに引っ掛けて引き出しますが、ペーパーは紙乗せ板と紙戻り防止板の間にはさまれていて、ペーパーをピーンと張った状態で引き出すには、紙戻り防止板をスプリングで押える必要があります。でもスプリングで押えられたペーパーを引き出すには、引き出すにも強い力で引き出さなくてはならないし、弱いペーパー等は切れる心配もあります。【００２６】  そこで、円弧運動棒とクランク棒を設けて、それと紙切り刃にスプリングを掛けて、最初は弱い力で引き合っていて、スプリングが伸ばされると引き合う力も増すようになる構造にすれば、ペーパーを押える力を必要最小限に出来て、最初の必要量のペーパーを引き出す時は軽い力で引き出せるようになる。ペーパーを切る時は、引き出す向きを斜め上方にすると、紙切り刃の刃先がペーパーに引っ掛かって出てくる。このときは紙切り刃もスプリングの弱い力で引かれているので、ペーパーの引き出す張りが弱くても、刃先のわずかな引っ掛かりで紙切り刃を引き出すことが出来る。そして紙切り刃を引き出すことで、スプリングも伸びるにつれて、紙戻り防止板を押す力も強くなるので、引き出すペーパーもピーンと張るようになり、紙切り刃をしっかりと引っ掛けることが出来るので、紙切り刃をペーパーの切る位置まで引き出せる。【００２７】  上記のように、円弧運動棒とクランク棒を設けた構造は、ペーパーを押える力を通常は必要最小限にして、そしてペーパーを引き出す行程と切る行程のときに、ペーパーを押える力が強くなるようにしたので、ペーパーを軽い力で楽に引き出せて、また弱いペーパーにも対応出来るようになる。【００２８】  紙切り刃でペーパーを切る時に、刃先の角度がペーパーを楽に切れるような鋭角ではないので、ペーパーを切りずらい状態であり、ペーパーの押えが悪いとペーパーが切れないで、抜け出してしまうようにもなる。【００２９】  そこで、円弧運動棒とクランク棒が良く作用する位置と紙切り刃を結ぶ、引き棒を設けて連結する。紙切り刃との連結部は、引き棒に長穴を設ける。その長穴があるので紙切り刃が円弧運動をする範囲は作用することなく、ペーパーを切る位置で引き棒を引き、その力が増幅されて紙戻り防止板を押してペーパーを強く押え、ペーパーを切る時のペーパーの動きを止めることが出来る。【００３０】  紙乗せ板とロールペーパー保持棒を一体にしたロールペーパー保持枠を設けた構造にして、ペーパー交換をする時は、ロールペーパー保持枠を固定しているフックを外すと、ペーパーホルダー本体に設けた支点で前方下側に下がるので、その位置でトイレットペーパーをセットし、ペーパーの先端を取り出せば、トイレットペーパーの上側も余裕の空間があり、ペーパーの取り出しも紙乗せ板の上側が広く開くので、トイレットペーパーのセットも、ペーパーの取出しも楽に行なえる。その後はロールペーパー保持枠を上側に押し上げて、フックが掛かって固定したら終了する。【００３１】  別の手段の場合も同様の効果があり、上記の手段との組み合せも出来る。下記に別の手段の説明をすると。【００３２】  紙切り刃に押え部を設け、紙戻り防止板に仕切り板を設けた構造で、ペーパーの動きを止めるには、紙切り刃がペーパーを切る位置になると、押え部が仕切り板を押さえるので、紙戻り防止板も連動してペーパーをしっかり押えるから、ペーパーの動きを止めることが出来る。【００３３】  紙切り刃にクサビ板を設けた構造で、ペーパーの動きを止める��は、紙切り刃がペーパーを切る位置になったとき、クサビ板はペーパーホルダー本体の部分と紙戻り防止板の間に入って、紙戻り防止板を押してペーパーの動きを止めることが出来る。【００３４】  紙落とし板を設けて、紙切り刃と連動させた構造の場合は、ペーパーを切った後に紙切り刃が元の位置に戻り始めると、紙落とし板も下側に下がるので、切れたペーパーを押し下げて、紙切り刃から切れたペーパーの先端を離すので、ペーパーの先端は常に紙乗せ板に乗って、つまめる状態にすることが出来る。【００３５】  紙落とし板を設けて、紙切り刃を固定させた構造の場合は、ペーパーを切った後に、押し上げられていた紙落とし板が下側に下がるので、切れたペーパーを押し下げて、紙切り刃から切れたペーパーの先端を離すので、ペーパーの先端は常に紙乗せ板に乗って、つまめる状態にすることが出来る。【００３６】  上ケースを上側に起してペーパー交換をする場合は、上ケースと紙乗せ板を上側に起して、トイレットペーパーをロールペーパー保持棒にセットし、紙乗せ板を倒して、その上からペーパーの先端を取り出したら、上ケースを倒してフックが掛かって固定したら終了する。この方法で上ケースを上側に起したとき、紙切り刃が前側に出ている状態になるので、身体が触れることもあり危険である。そこで移動駒を設けて、紙戻り防止板を押し出して紙切り刃より出せば、紙切り刃のカバーの役が出来るので、紙切り刃に触れる危険をなくせる。
【発明を実施するための最良の形態】
【００３７】  本発明のペーパーホルダー１を図１で見ると、ペーパーホルダー本体１に設けたそれぞれの支点に、紙戻り防止板４、紙切り刃６、円弧運動棒７Ａ、ロールペーパー保持枠１３を組み付けてある。紙戻り防止板４は、右側を紙乗せ板５の上に乗せて、上下に動くことが出来る。また先端には仕切り板９を設け、そして連結部４Ｂも設けて、それにクランク棒７Ｂを組み付ける。クランク棒７Ｂは円弧運動棒７Ａと連結させる。その円弧運動棒７Ａとクランク棒７Ｂを引くようにスプリング１４を掛け、スプリング１４の他方を紙切り刃６のスプリング掛６Ｂに掛ける。引き棒８を設け、一方は円弧運動棒７Ａとクランク棒７Ｂのクランク作用を良くする位置７Ｅに連結し、他方の連結部は長穴にして、長穴には紙切り刃６の突起部６Ｄを差し込んで連結させる。紙切り刃６の刃は支点６Ａと刃先を結んだ線よりペーパーが出てくる側へ倒した角度の刃にする。ロールペーパー保持枠１３には、紙乗せ板５とロールペーパー保持棒１５が取り付けてある。図１には表示してないが使用中のロールペーパー保持枠１３は、フック１８が掛かっていて固定されている。フック１８は、図１５と図１６で表示し説明。【００３８】  以下に、上記構成の作用を説明するにあたり、図１は使用待機時の図で、説明には作用図も必要であり、また全部の項目を一図に書き込むと見ずらくなるので、請求項を判り易くした別図を用いて説明する。【００３９】  請求項１を実施して紙切り刃６が円弧運動をする構造と、請求項３を実施して紙乗せ板５と押しスプリング１７で押されている紙戻り防止板４を設けた構造と、請求項１５を実施した、紙切り刃６の刃先の角度を、図３と図４で説明すると、図３のように紙切り刃６は支点６Ａを芯にして、刃先は円弧運動をすることが出来、刃先の角度はペーパーの出てくる側に倒した角度にする。紙切り刃６のスプリング掛６Ｂにスプリング１４が掛かり、弱い力で引かれている。紙切り刃６は紙戻り防止板４の立ち上がり部４Ｄに貼ったクッション材２１に当たって止まっている。ペーパーは紙乗せ板５と押しスプリング１７で押された紙戻り防止板４の間に挟まれている。【００４０】  その挟まれたペーパーを引き出すときは、右側斜め下方の向きに引き出して使用するが、押しスプリング１７で押えられているので、ペーパーを引くとピーンと張った状態で引き出すことになる。そしてペーパーを切る時は、引き出す向きを斜め上方にすると、ピーンと張ったペーパーは紙切り刃６の刃先に当たり、刃先がペーパーに食い込んで引っ掛かり、さらにペーパーを引くと紙切り刃６も一緒に円弧運動をして引き出されて図４のようになる。ペーパーを切る位置になったら、ストッパー１２に当たって、紙切り刃６が止まり、ペーパーを引くと切れる。後は紙切り刃６がスプリング１４に引かれて元の位置に戻り、図３のようになって、紙切り刃６の円弧運動で引き出された長さのペーパーの先端３は紙乗せ板５の上からつまみ分として出ている状態になる。【００４１】  請求項１５を実施して、紙切り刃６の刃を支点６Ａと刃先を結んだ線よりペーパーが出てくる側へ倒した角度の刃先にすれば、図４のように紙切り刃６とペーパーの角度が９０度より小さくなり、紙切り刃６が戻る��にペーパーを押し返す力が掛からず、滑って離れ易くなる。【００４２】  請求項２を実施して仕切り板９を設けたりして円弧運動の範囲を囲った構造と、請求項４を実施して円弧運動棒７Ａとクランク棒７Ｂを設けた構造と、請求項５を実施して円弧運動棒７Ａとクランク棒７Ｂと引き棒８を設けた構造を、図５と図６で説明すると、図５のように紙切り刃６の円弧運動の範囲を囲うために、紙戻り防止板４の先端に仕切り板９を設けたり、周囲のすき間を出来るだけ少なくした構造にする。【００４３】  請求項２を実施して、図６の状態でペーパーを切った時に、紙切り刃６と仕切り板９とペーパーで囲まれた空間の空気は、紙切り刃６がスプリング１４に引かれて一気に元の位置に戻るために、一気に出るすき間がないので空気はペーパーの方に押し出されてペーパーを押し下げる作用をするので、紙切り刃６から切れたペーパーの先端が離れ易くなる。【００４４】  請求項４を実施して、図５のように紙戻り防止板４の連結部４Ｂにクランク棒７Ｂを連結し、クランク棒７Ｂは円弧運動棒７Ａと連結させる。円弧運動棒７Ａとクランク棒７Ｂを引くスプリング１４を掛け、スプリング１４の他方を紙切り刃６のスプリング掛６Ｂに掛ける。スプリング１４は通常は弱い力で引き、伸びるにつれて強さを増すようになる。【００４５】  そうすることによって、通常の紙戻り防止板４は弱い力で押えられているので、ペーパーを必要量引き出す時は、軽い力で引き出せる。ペーパーを切る時は、ペーパーを斜め上方に引いて、紙切り刃６を引き出すにつれてスプリング１４を引くので、円弧運動棒７Ａとクランク棒７Ｂが作用して紙戻り防止板４を押す力も増して、ペーパーをしっかり押えるようになるので、最初にペーパーを押える力が弱くても、図６のように紙切り刃６をペーパーの切る位置まで引き出すことが出来る。【００４６】  請求項５を実施して、図５のように引き棒８の一方は円弧運動棒７Ａとクランク棒７Ｂを作用させる位置７Ｅに連結し、他方の長穴は紙切り刃６の突起部６Ｄを差し込んで連結させる。【００４７】  そうすると、引き棒８の長穴があるので、紙切り刃６が円弧運動している範囲は引き棒８に作用することなく、図６のようにペーパーを切る位置になると引き棒８を引くので、円弧運動棒７Ａとクランク棒７Ｂも作用して紙戻り防止板４を押すようになる。その押す力は、ペーパーを切る時にペーパーに引っ掛かった紙切り刃６を引く力が、引き棒８を介し、円弧運動棒７Ａとクランク棒７Ｂを介しているので、その都度力が増幅されて、ペーパーをしっかり押えるのでペーパーの動きを止めることが出来る。そうすることで、ペーパーを切る時にペーパーが滑り出すこともなくなる。【００４８】  請求項１３を実施して、ロールペーパー保持枠１３を設けた構造を、図１５と図１６で説明すると、図１５のようにロールペーパー保持枠１３に紙乗せ板５とロールペーパー保持棒１５を取り付ける。ロールペーパー保持枠１３はペーパーホルダー本体１に設けた支点１３Ａに組み付ける。そして通常はフック１８に掛かっている。ペーパー交換時はフック１８を外すと、前側下方に紙乗せ板５が下がり、図１６のようになるので、下側からトイレットペーパー２を上側に上げてロールペーパー保持棒１５にセットし、ペーパーの先端を取り出したら、ロールペーパー保持枠１３を押し上げてフック１８が掛かれば、図１５の状態になってペーパー交換が終了する。【００４９】  別の手段の形態を説明すると、【００５０】  請求項７を実施して、紙切り刃６に押え部６Ｃを設けた構造を図７と図８で説明すると、図７のように、紙切り刃６に押え部６Ｃを設け、紙戻り防止板４に仕切り板９が付いた構造で、ペーパーを斜め上方に引き出して紙切り刃６がペーパーを切る位置になった状態が図８で、紙切り刃６に一体の押え部６Ｃが、仕切り板９の上を押えるようになる。それによって紙戻り防止板４でペーパーが押えられ、ペーパーの動きを止めることが出来る。【００５１】  請求項９を実施して、紙切り刃６にクサビ板２２を設けた構造と、請求項１０を実施した形態を図９と図１０で説明すると、図９のように、紙切り刃６にクサビ板２２を設け、紙戻り防止板４に仕切り板９が付いた構造で、ペーパーを斜め上方に引き出して紙切り刃６がペーパーを切る位置になった状態が図１０で、紙切り刃６に取り付けたクサビ板２２が、ペーパーホルダー本体１の部分と仕切り板９の間に入りクサビ部分で仕切り板９を押し下げるので紙戻り防止板４も押され、それによってペーパーが押えられ、ペーパーの動きを止めることが出来る。【００５２】  請求項１１を実施して、紙落とし板１０と紙切り刃６を設けた構造と、請求項１２を実施して、紙戻り防止板４と紙乗せ板５を設けた構造を、図１１と図１２で説明すると、図１１のように紙落とし板１０は、支点１０Ａをペーパーホルダー本体１に取り付けて、他方は上下に動くことが出来る。そして先端部は紙戻り防止板４の右方でペーパーより少し上の位置にする。紙切り刃６は支点６Ａで円弧運動が出来る。押し棒１１を設けて、紙落とし板１０の連結部１０Ｂと紙切り刃６の連結部６Ｅに連結させる。紙落とし板１０と紙切り刃６は、スプリングを使うか、または自重によって、通常はこの状態である。紙戻り防止板４は、押しスプリング１７で押されている。【００５３】  そしてペーパーを切る時は、ペーパーを斜め上方に引き出すと、ペーパーが紙落とし板１０に当たり、紙落とし板１０を上側に押し上げる。そうすると押し棒１１で連結された紙切り刃６も前方に出てきて、途中からペーパーに紙切り刃６の刃先が触り、そして刃先を引っ掛けて紙切り刃６を引き出す。図１２のように、ペーパーの切る位置でストッパー１２により止まり、ペーパーを切る。紙切り刃６が戻ると同時に紙落とし板１０も下側に下がるので、切れたペーパーの先端も押し下げられて、図１１のつまめる状態になる。【００５４】  また同じ請求項１１の実施でも構造を変えて、紙落とし板１０は単独で動くようにして、紙切り刃６はペーパーを切る位置に固定させた構造と、請求項１２を実施した構造を、図１３と図１４で説明すると、図１３のように紙落とし板１０は、図１１と同じ位置で同じ動きをするようにする。ペーパーを切るときは、ペーパーを引っ張った状態で斜め上方に上げると、図１４のようにピーンと張ったペーパーが紙落とし板１０を上に押し上げながら、紙切り刃６にペーパーが当たり、そのままペーパーを引けばペーパーが切れる。その後は、紙落とし板１０が下がるので切れたペーパーの先端も紙切り刃６から離れて紙乗せ板５に乗って、図１３のようにつまめる状態になる。【００５５】  それから、紙落とし板１０にクサビ板２２を取り付ければ、紙落とし板１０が上に押し上げられたときに、図１４のようにクサビ板２２が作用して紙戻り防止板４を押えて、ペーパーの動きも止めることが出来る。【００５６】  請求項１４を実施して、上ケース１９と移動駒２０を設けた構造を、図１７と図１８で説明すると、図１７のように上ケース１９を設けて、支点１９Ａをペーパーホルダー本体１に取り付け、右側を上方に起せるようにする。上ケース１９には、支点４Ａに紙戻り防止板４を、また支点６Ａに紙切り刃６を取り付ける。紙戻り防止板４に突起部４Ｃを設けて、上ケース１９の横板の穴１９Ｂに差し込み、穴１９Ｂは紙戻り防止板４が上下に必要量動ける大きさにする。穴１９Ｂは移動駒２０がスライドして、出たり入ったり出来るように長穴も付け足す。移動駒２０の支点２０Ｂはペーパーホルダー本体１に取り付ける。紙乗せ板５の支点５Ａもペーパーホルダー本体１に取り付け、上側に起せるようにする。上ケース１９を止めるフックは図中では省略してある。【００５７】  そしてペーパー交換は、上ケース１９を止めてあるフックを外して、上ケース１９を起すと移動駒２０が上ケース１９と別の支点で動くために、移動駒２０がスライドして紙戻り防止板４の突起部４Ｃの穴１９Ｂに入り、移動駒２０が突起部４Ｃを押すと紙戻り防止板４も押されて、図１８のように紙切り刃６の刃先が隠れた状態になる。そうなれば刃先に触れる危険も無くなる。紙乗せ板５も起してトイレットペーパー２をセットしたら、紙乗せ板５を倒して、その上からペーパーの先端を取り出して、上ケース１９を倒しフックが掛かったら終了する。
【実施例】
【００５８】  紙切り刃６の円弧運動を、スライドに変えても効果が得られるので、紙切り刃６がスライドする構造を図１９と図２０で説明すると、図１９のように紙切り刃６の元の部分を伸ばして、そこにローラー軸１６Ｂを設け、それにローラー１６Ａを取り付ける。ペーパーホルダー本体１に、ローラー１６Ａが回転移動出来る長穴を設ける。紙切り刃６はスプリング１４で引いている。ペーパーを引き出す時は、斜め下側に引き出し、ペーパーを切る時は、ペーパーを斜め上方に引き出すと、ペーパーが紙切り刃６を引っ掛けて、紙切り刃６はスライドをして出てくる。図２０のようにペーパーを切る位置まで出たら、ペーパーを切ると紙切り刃６は元の位置まで戻り、図１９のようになってペーパーのつまみ分３が出ている状態になる。【００５９】  紙落とし板１０を設けた請求項１１の実施例で、シンプルな構造にした実施例を図２１と図２２で説明すると、図２１のように、紙落とし板１０に一体の押え部１０Ｃを設け、紙落とし板の支点１０Ａをペーパーホルダー本体１に取り付けて、紙落とし板１０の右側は自由に上下に動き、位置は引き出したペーパーの上にする。紙戻り防止板４は立ち上がり部４Ｄを設け、上から押しスプリング１７で押える。ペーパーを切るときは、ペーパーを斜め上方に引くと、図２２のように、紙落とし板１０をペーパーが引き起すので、押え部１０Ｃが紙戻り防止板４の立ち上がり部４Ｄを押し下げる。それによって、ペーパーは押えられて動きを止められので、さらにペーパーを引けばペーパーが切れる。その後は紙落とし板１０が自重で下がると、切れたペーパーの先端も紙切り刃６から離れて、図２１のように、紙乗せ板５に乗ってつまめる状態になる。【００６０】  上記の説明のように、手段がいろいろあるので、組合せによって多様の効果が生じるし、構造も向きを変えたり、上下を入れ替えても対応出来るものもある。
【図面の簡単な説明】
【００６１】
【図１】  本発明の実施形態を示すペーパーホルダーで、図２のＡ−Ａ断面図
【図２】  ペーパーホルダーの正面図、Ａ−Ａの各断面図を見るときに、Ａ−Ａの線の位置は目安として見てください。
【図３】  請求項１・３・１５の実施形態を示すペーパーホルダーで、図２のＡ−Ａ部分断面図
【図４】  図３の作用形態を示すペーパーホルダーで、図２のＡ−Ａ部分断面図
【図５】  請求項２・４・５の実施形態を示すペーパーホルダーで、図２のＡ−Ａ部分断面図
【図６】  図５の作用形態を示すペーパーホルダーで、図２のＡ−Ａ部分断面図
【図７】  請求項７の実施形態を示すペーパーホルダーで、図２のＡ−Ａ部分断面図
【図８】  図７の作用形態を示すペーパーホルダーで、図２のＡ−Ａ部分断面図
【図９】  請求項９・１０の実施形態を示すペーパーホルダーで、図２のＡ−Ａ部分断面図
【図１０】  図９の作用形態を示すペーパーホルダーで、図２のＡ−Ａ部分断面図
【００６２】
【図１１】  請求項１１・１２の実施形態を示すペーパーホルダーで、図２のＡ−Ａ部分断面図
【図１２】  図１１の作用形態を示すペーパーホルダーで、図２のＡ−Ａ部分断面図
【図１３】  請求項１１・１２で別形態の実施形態を示すペーパーホルダーで、図２のＡ−Ａ部分断面図
【図１４】  図１３の作用形態を示すペーパーホルダーで、図２のＡ−Ａ部分断面図
【図１５】  請求項１３の実施形態を示すペーパーホルダーで、図２のＡ−Ａ断面図
【図１６】  図１５の作用形態を示すペーパーホルダーで、図２のＡ−Ａ断面図
【図１７】  請求項１４の実施形態を示すペーパーホルダーで、図２のＡ−Ａ断面図
【図１８】  図１７の作用形態を示すペーパーホルダーで、図２のＡ−Ａ部分断面図
【図１９】  紙切り刃がスライドする実施例を示すペーパーホルダーで、図２のＡ−Ａ部分断面図、
【図２０】  図１９の作用形態を示すペーパーホルダーで、図２のＡ−Ａ部分断面図
【図２１】  請求項１１・１２で別形態の実施形態を示すペーパーホルダーで、図２のＡ−Ａ部分断面図
【図２２】  図２１の作用形態を示すペーパーホルダーで、図２のＡ−Ａ部分断面図
【符号の説明】
【００６３】１    ペーパーホルダー
２    トイレットペーパー
３    紙乗せ板に乗ったペーパーの先端
４    紙戻り防止板
４Ａ  紙戻り防止板の支点
４Ｂ  紙戻り防止板とクランク棒の支点
４Ｃ  突起部
４Ｄ  紙戻り防止板の立ち上がり部
５    紙乗せ板
５Ａ  紙乗せ板の支点
６    紙切り刃
６Ａ  紙切り刃の支点
６Ｂ  スプリング掛
６Ｃ  押え部
６Ｄ  紙切り刃の突起部
６Ｅ  紙切り刃の連結部
【００６４】７Ａ  円弧運動棒
７Ｂ  クランク棒
７Ｃ  円弧運動棒とクランク棒の連結部
７Ｄ  円弧運動棒の支点
７Ｅ  円弧運動棒と引き棒の連結部
８    引き棒
９    仕切り板
１０    紙落とし板
１０Ａ  紙落とし板の支点
１０Ｂ  紙落とし板の連結部
１０Ｃ  紙落とし板の押え部
１１    押し棒
１２    ストッパー
１３    ロールペーパー保持枠
１３Ａ  ロールペーパー保持枠の支点
１３Ｂ  ロールペーパー保持枠の突起部
【００６５】１４    スプリング
１５    ロールペーパー保持棒
１６Ａ  ローラー
１６Ｂ  ローラー軸
１７    押しスプリング
１８    フック
１８Ａ  フック外しレバー
１８Ｂ  フックの支点
１９    上ケース
１９Ａ  上ケースの支点
１９Ｂ  上ケースの横板の穴
２０    移動駒
２０Ａ  移動駒保持板
２０Ｂ  移動駒の支点
２１    クッション材
２２    クサビ板
２２Ａ  クサビ板の支点
【図１】
2005192682.tif 000003
【図２】
2005192682.tif 000004
【図３】
2005192682.tif 000005
【図４】
2005192682.tif 000006
【図５】
2005192682.tif 000007
【図６】
2005192682.tif 000008
【図７】
2005192682.tif 000009
【図８】
2005192682.tif 000010
【図９】
2005192682.tif 000011
【図１０】
2005192682.tif 000012
【図１１】
2005192682.tif 000013
【図１２】
2005192682.tif 000014
【図１３】
2005192682.tif 000015
【図１４】
2005192682.tif 000016
【図１５】
2005192682.tif 000017
【図１６】
2005192682.tif 000018
【図１７】
2005192682.tif 000019
【図１８】
2005192682.tif 000020
【図１９】
2005192682.tif 000021
【図２０】
2005192682.tif 000022
【図２１】
2005192682.tif 000023
【図２２】
2005192682.tif 000024